(57)【要約】【課題】人体に対する電磁波の悪影響を一切排除するとともに、低コスト性及び多様性を高める。【解決手段】径方向に潰れないフレキシブルな中空チューブＴを使用し、一端２ａを携帯電子機器Ｐに備えるスピーカＳに対向させるイヤホンケーブル部２と、このイヤホンケーブル部２の他端２ｂに設けることにより、当該イヤホンケーブル部２の内部に連通する開放口３ｏを有する耳装着部３とを備え、イヤホンケーブル部２及び耳装着部３によりスピーカＳの発生音を伝播するダクトＲを形成する。【選択図】図１
2005184037.tif 000002
【特許請求の範囲】
【請求項１】
径方向に潰れないフレキシブルな中空チューブを使用し、一端を携帯電子機器に備えるスピーカに対向させるイヤホンケーブル部と、このイヤホンケーブル部の他端に設けることにより、当該イヤホンケーブル部の内部に連通する開放口を有する耳装着部とを備え、前記イヤホンケーブル部及び前記耳装着部により前記スピーカの発生音を伝播するダクトを形成したことを特徴とする携帯電子機器用イヤホン。
【請求項２】
前記イヤホンケーブル部は、前記携帯電子機器に着脱する着脱部を有することを特徴とする請求項１記載の携帯電子機器用イヤホン。
【請求項３】
前記イヤホンケーブル部は、コイル状に巻くことによりアクセサリ部を形成し、前記携帯電子機器のアクセサリに兼用することを特徴とする請求項１記載の携帯電子機器用イヤホン。
【請求項４】
前記イヤホンケーブル部は、前記携帯電子機器のストラップに兼用することを特徴とする請求項１記載の携帯電子機器用イヤホン。
【請求項５】
前記携帯電子機器は、携帯電話機であることを特徴とする請求項１記載の携帯電子機器用イヤホン。
【発明の詳細な説明】
【０００１】
【発明の属する技術分野】
本発明は、特に、人体に対する電磁波の悪影響を排除した携帯電話機等に用いて好適な携帯電子機器用イヤホンに関する。
【０００２】
【背景及び課題】
一般に、携帯電話機は広く普及している。ところで、携帯電話機は、アンテナから強度の電波（電磁波）を発信するため、この電磁波による人体への悪影響が懸念されている。人体に対する電磁波の悪影響については、未だ解明されていない点もあるが、電磁波を多く浴びることにより明らかに悪影響を受けるという動物実験データが報告されているとともに、人間においても脳腫瘍や頭痛が増えるという事実も報告されている。
【０００３】
このため、携帯電話機に内蔵するスピーカを使用せずに、携帯電話機をできるだけ頭部から離して使用できるイヤホンを利用する人も増えている。一方、今後、ディスプレイを見ながら会話を行うテレビ電話方式の携帯電話機が増加することを考慮すれば、イヤホンは携帯電話機にとって必須の付属品となる。
【０００４】
しかし、イヤホンも電磁波の発生源として問題視されている。即ち、電磁波は、基本的に電流が流れることによって発生するが、通常のイヤホンは、電気信号を機械的振動（音）に変換するスピーカを内蔵するとともに、屋外等の騒音の大きい環境で使用することから音量を大きくする傾向があり、しかも、脳に最も近い位置で使用するため、イヤホンから発生する電磁波も無視できないと云われている。
【０００５】
本発明は、このような背景に応えたものであり、人体に対する電磁波の悪影響を一切排除するとともに、加えて低コスト性及び多様性に富む携帯電子機器用イヤホンの提供を目的とする。
【０００６】
【課題を解決するための手段及び実施の形態】
本発明に係る携帯電子機器用イヤホン１は、径方向に潰れないフレキシブルな中空チューブＴを使用し、一端２ａを携帯電子機器Ｐに備えるスピーカＳに対向させるイヤホンケーブル部２と、このイヤホンケーブル部２の他端２ｂに設けることにより、当該イヤホンケーブル部２の内部に連通する開放口３ｏを有する耳装着部３とを備え、イヤホンケーブル部２及び耳装着部３によりスピーカＳの発生音を伝播するダクトＲを形成したことを特徴とする。
【０００７】
この場合、好適な実施の形態により、イヤホンケーブル部２には、携帯電子機器Ｐに対して着脱する着脱部１１を設けることができる。また、イヤホンケーブル部２は、コイル状に巻くことによりアクセサリ部Ｃを形成し、携帯電子機器Ｐのアクセサリに兼用できるとともに、携帯電子機器ＰのストラップＥに兼用できる。
【０００８】
これにより、スピーカＳの発生音は、中空チューブＴを用いたイヤホンケーブル部２及びこのイヤホンケーブル部２の内部に連通する開放口３ｏを有する耳装着部３により形成されるダクトＲ内の空間を伝播するため、使用者は、開放口３ｏからスピーカＳの発生音を直接聞くことができる。
【０００９】
【実施例】
次に、本発明に係る好適な実施例を挙げ、図面に基づき詳細に説明する。
【００１０】
まず、本実施例に係る携帯電話機（携帯電子機器）用イヤホン１の構成について、図１〜図４を参照して説明する。
【００１１】
図２及び図３において、Ｐは携帯電話機（携帯電子機器）を示す。この携帯電話機Ｐは、ディスプレイＰｄ，キーボードＰｋ，アンテナＰａ，マイクロフォン（送話部）Ｐｍ，着信ランプＰｅ等を備える一般的な携帯電話機である。なお、携帯電話機は、例示の一般的な携帯電話機のみならず、ＰＨＳや電話機付モバイルコンピュータなどをはじめ、電話機能を内蔵する各種携帯機器を含む概念である。
【００１２】
また、携帯電話機Ｐの上部には受話部Ｐｓを備える。受話部Ｐｓには、図１に示すようにスピーカＳを内蔵し、このスピーカＳの前方には、携帯電話機Ｐの前面部Ｆｆに開口する音出力孔Ｈを有する。一方、携帯電話機Ｐの上面部Ｆｕから音出力孔Ｈに直交し、かつこの音出力孔Ｈに貫通するイヤホン着脱孔２１を設ける。このイヤホン着脱孔２１には、次に述べる本実施例に係る携帯電話機用イヤホン１を着脱することができる。
【００１３】
本実施例に係る携帯電話機用イヤホン１は、一端２ａを携帯電話機Ｐに備えるスピーカＳに対向させるイヤホンケーブル部２と、このイヤホンケーブル部２の他端２ｂに設けた耳装着部３とを備える。イヤホンケーブル部２は、径方向に潰れないフレキシブルな中空チューブＴを使用する。このような中空チューブＴとしては、例えば、外径が２〔ｍｍ〕前後、内径が１〔ｍｍ〕前後の弾性を有する比較的硬質のプラスチックを利用できる。
【００１４】
そして、このようなプラスチックを利用した場合には、紐や電気コードのように折り曲げはできないが、図２及び図３に示すように、円形のコイル状に巻くことによりアクセサリ部Ｃを形成することができる。このようなアクセサリ部Ｃを形成することにより、使用するときは、仮想線で示すように、自由に伸長させることができるとともに、使用しないときは、実線で示すように、元のアクセサリ部Ｃの形状に復帰させることができる。また、アクセサリ部Ｃは、その大きさをはじめ、イヤホンケーブル部２の色や模様を選定し、さらに、イヤホンケーブル部２の外面を布製の化粧カバーにより被覆したり或いは好みのリボンを付けるなどによって、携帯電話機Ｐのアクセサリとして利用（兼用）できる。
【００１５】
一方、イヤホンケーブル部２の一端２ａには、図４に示すように、携帯電話機Ｐのイヤホン着脱孔２１に対して着脱する着脱部１１を設ける。この着脱部１１は、一端にイヤホンケーブル部２の端部が固着した筒体であり、イヤホン着脱孔２１に対して、例えば、圧入等により装着することができる。また、着脱部１１の周面部には、イヤホン着脱孔２１への装着時に、スピーカＳに対向する開口部２２を設ける。これにより、図１に示すように、着脱部１１をイヤホン着脱孔２１に装着した際には、着脱部１１によりスピーカＳと音出力孔Ｈ間が遮断され、音出力孔Ｈからの音漏れが防止されるとともに、スピーカＳの発生音は、開口部２２を通してイヤホンケーブル部２の内部空間に伝播される。
【００１６】
さらに、イヤホンケーブル部２の他端２ｂには、耳装着部３を固着する。耳装着部３は、使用者の耳穴に装着できる大きさ及び形状により形成した単なる中空体であり、後面にイヤホンケーブル部２の他端２ｂが固着する接続口を有するとともに、前面に開放口３ｏを有する。この開放口３ｏはそのままでもよいし、実施例のように、ネット或いは多孔板等の保護カバー２３を付設してもよい。
【００１７】
よって、イヤホンケーブル部２及び耳装着部３によりスピーカＳの発生音を伝播するダクトＲが形成され、着脱部１１の開口部２２から耳装着部３の開放口３ｏまで空間により連通する。
【００１８】
次に、本実施例に係る携帯電話機用イヤホン１の使用方法及び機能について、各図を参照して説明する。
【００１９】
まず、携帯電話機用イヤホン１を使用しないときは、図４に示すように、携帯電話機用イヤホン１の着脱部１１をイヤホン着脱孔２１から離脱し、例えば、ゴム製のキャップ２５によりイヤホン着脱孔２１を閉塞する。これにより、スピーカＳの前方空間は、音出力孔Ｈのみに連通し、音出力孔Ｈを使用者の耳に近付けることによりイヤホン無しの状態で使用できる。
【００２０】
一方、本実施例に係る携帯電話機用イヤホン１を使用するときは、イヤホン着脱孔２１からキャップ２５を取外し、図１に示すように、イヤホン着脱孔２１に携帯電話機用イヤホン１の着脱部１１を装着（圧入）する。これにより、スピーカＳと音出力孔Ｈ間は、着脱部１１により遮断され、音出力孔Ｈからの音漏れが防止されるとともに、スピーカＳの前方空間は、着脱部１１の開口部２２を通してイヤホンケーブル部２の内部に連通する。即ち、スピーカＳの前方空間は、イヤホンケーブル部２及び耳装着部３により形成されるダクトＲを介して耳装着部３の開放口３ｏまで連通する。
【００２１】
また、耳装着部３は、使用者の耳穴に装着（挿入）する。この際、イヤホンケーブル部２は、フレキシブル性を有するため、図２及び図３に仮想線で示すように自由に伸長する。これにより、携帯電話機Ｐの使用時には、スピーカＳの発生音が、イヤホンケーブル部２及び耳装着部３により形成されるダクトＲの内部空間を伝播し、使用者は、スピーカＳの発生音を直接聞くことができる。なお、耳装着部３を耳穴から取外せば、イヤホンケーブル部２は、自らの弾性により、図２及び図３に実線で示すように、元のアクセサリ部Ｃの形状に復帰する。
【００２２】
他方、図５には変更実施例を示す。上述した図１〜図４に示す実施例は、イヤホンケーブル２をコイル状に巻くことによりアクセサリ部Ｃを形成したものであるが、図５に示す変更実施例は、イヤホンケーブル２をストラップＥに使用するものである。この場合、携帯電話機Ｐにおける裏面の一部に、耳装着部３を収容できる収容部３０を設けるとともに、ヒンジ部３１により収容部３０を開閉する蓋部３２を付設する。これにより、図５に示すように、収容部３０に耳装着部３を収容し、蓋部３２を閉じれば、耳装着部３の収容と同時に抜け止めされ、イヤホンケーブル２は図５に示すようなストラップＥとして使用（兼用）できる。この場合には、イヤホン着脱孔２１にロック部を設け、着脱部１１を装着した際には容易に抜けないようにする必要がある。なお、イヤホンケーブル２の一端はイヤホン着脱孔２１に固定してもよい。
【００２３】
このような本実施例に係る携帯電話機用イヤホン１によれば、一般的なイヤホンのような電気信号を使用しないため、イヤホンケーブル部２及び耳装着部３から電磁波は発生しない。したがって、人体に対する電磁波の悪影響を一切排除することができる。また、単純部品の組合わせにより構成できるため、低コスト化に寄与できるとともに、アクセサリ（アクセサリ部Ｃ）やストラップＥに兼用できるなど、多様性を高めることができる。なお、実際の使用においては、イヤホンケーブル部２を実用的長さである５０〜１００〔ｃｍ〕の長さに選定しても、受話音の明瞭度及び音量は十分であり、実用上は問題は全く生じなかった。
【００２４】
以上、実施例（変更実施例）について詳細に説明したが、本発明はこのような実施例に限定されるものではなく、細部の構成，形状，数量．素材等において本発明の要旨を逸脱しない範囲で任意に変更．追加，削除することができる。例えば、実施例は、携帯電子機器として、携帯電話機を示したが、その他、携帯ラジオ，携帯テレビ等のイヤホンを使用する任意の携帯電子機器に適用することができる。また、実施例は、着脱部１１とイヤホン着脱孔２１が着脱する着脱タイプを例示したが、離脱できない固定タイプであってもよいし、既存の携帯電話機における音出力孔Ｈにイヤホンケーブル２の一端２ａを接着剤又はバンド等により固定してもよい。さらに、イヤホンケーブル２は、自由に折曲する蛇腹形式の中空チューブを利用してもよいし、必要により、携帯電話機Ｐの内部又は外部に、携帯電話機用イヤホン１の全体を収納できる収納部を設けてもよい。
【００２５】
【発明の効果】
このように、本発明に係る携帯電子機器用イヤホンは、径方向に潰れないフレキシブルな中空チューブを使用し、一端を携帯電子機器に備えるスピーカに対向させるイヤホンケーブル部と、このイヤホンケーブル部の他端に設けることにより、当該イヤホンケーブル部の内部に連通する開放口を有する耳装着部とを備え、イヤホンケーブル部及び耳装着部によりスピーカの発生音を伝播するダクトを形成したため、次のような顕著な効果を奏する。
【００２６】
（１）  一般的なイヤホンのような電気信号を使用しないため、イヤホンケーブル部及び耳装着部から電磁波は発生しない。したがって、人体に対する電磁波の悪影響を一切排除することができる。
【００２７】
（２）  単純部品の組合わせにより構成できるため、低コスト化に寄与できるとともに、アクセサリやストラップに兼用できるなど、多様性を高めることができる。
【図面の簡単な説明】
【図１】本発明の好適な実施例に係る携帯電話機（携帯電子機器）用イヤホンを携帯電話機に装着した状態の断面図、
【図２】同携帯電話機用イヤホンを備える携帯電話機の外観正面図、
【図３】同携帯電話機用イヤホンを備える携帯電話機の外観側面図、
【図４】同携帯電話機用イヤホンを携帯電話機から離脱した状態の断面図、
【図５】本発明の変更実施例に係る携帯電話機（携帯電子機器）用イヤホンを携帯電話機に装着した状態の一部断面構成図、
【符号の説明】
１    携帯電話機（携帯電子機器）用イヤホン
２    イヤホンケーブル部
２ａ  イヤホンケーブル部の一端
２ｂ  イヤホンケーブル部の他端
３    耳装着部
３ｏ  耳装着部の開放口
１１  着脱部
Ｃ    アクセサリ部
Ｅ    ストラップ
Ｐ    携帯電話機（携帯電子機器）
Ｒ    ダクト
Ｓ    スピーカ
Ｔ    中空チューブ
【図１】
2005184037.tif 000003
【図２】
2005184037.tif 000004
【図３】
2005184037.tif 000005
【図４】
2005184037.tif 000006
【図５】
2005184037.tif 000007